(57)【特許請求の範囲】
【請求項１】
複数種類のオーディオ機器を接続することが可能な一つの４極のジャックインタフェースを備えた携帯端末において、前記ジャックインタフェースに接続された前記オーディオ機器のＬＥＦＴチャンネル、ＲＩＧＨＴチャンネル、ＭＩＤＤＬＥチャンネルそれぞれのインピーダンスの大きさを識別することにより、接続された前記オーディオ機器の種別を判別するオーディオ機器判別手段を備え、該オーディオ機器判別手段により判別した前記オーディオ機器の種別に基づいて、オーディオ信号の変換を行うオーディオＣＯＤＥＣと前記ジャックインタフェースとの接続状態およびオーディオ信号の入出力レベルを少なくとも切り替え、
前記オーディオ機器判別手段は、前記ジャックインタフェースに接続された前記オーディオ機器のＬＥＦＴチャンネル、ＲＩＧＨＴチャンネル、ＭＩＤＤＬＥチャンネルそれぞれのインピーダンスを電圧値に変換する変換手段と、該変換手段により変換されたＬＥＦＴチャンネル、ＲＩＧＨＴチャンネル、ＭＩＤＤＬＥチャンネルそれぞれの電圧値を、あらかじめ設定した電圧閾値と比較した結果を出力するＡ／Ｄコンバータと、を少なくとも備え、前記Ａ／Ｄコンバータから出力されるＬＥＦＴチャンネル、ＲＩＧＨＴチャンネル、ＭＩＤＤＬＥチャンネルそれぞれの前記電圧閾値との比較結果の組み合わせに基づいて、接続された前記オーディオ機器の種別を判別し、
前記Ａ／Ｄコンバータは、ＣＰＵとバス接続されており、ＬＥＦＴチャンネル、ＲＩＧＨＴチャンネル、ＭＩＤＤＬＥチャンネルそれぞれの電圧値と比較する前記電圧閾値は、前記ＣＰＵのソフトウェア制御により、任意の値に設定変更を行うことができ、
前記オーディオ機器判別手段は、ＲＩＧＨＴチャンネル、ＭＩＤＤＬＥチャンネルの電圧値の双方と０Ｖとの比較結果に基づいて、前記ジャックインタフェースに接続されたオーディオ機器プラグが、２極プラグ、３極プラグ、４極プラグのいずれであるかを判別し、判別後、３極プラグについては、ＬＥＦＴチャンネルとＲＩＧＨＴチャンネルの両方と、それぞれの前記電圧閾値との比較結果の組み合わせに基づいて接続された前記オーディオ機器の種別を判別し、４極プラグについては、ＭＩＤＤＬＥチャンネルとその前記電圧閾値との比較結果に基づいて接続された前記オーディオ機器の種別を判別する
ことを特徴とする携帯端末。
【請求項２】
複数種類のオーディオ機器を接続することが可能な一つの４極のジャックインタフェースを備えた携帯端末において、前記ジャックインタフェースに接続された前記オーディオ機器のＬＥＦＴチャンネル、ＲＩＧＨＴチャンネル、ＭＩＤＤＬＥチャンネルそれぞれのインピーダンスの大きさを識別することにより、接続された前記オーディオ機器の種別を判別するオーディオ機器判別手段を備え、該オーディオ機器判別手段により判別した前記オーディオ機器の種別に基づいて、オーディオ信号の変換を行うオーディオＣＯＤＥＣと前記ジャックインタフェースとの接続状態およびオーディオ信号の入出力レベルを少なくとも切り替え、
前記オーディオ機器判別手段は、前記ジャックインタフェースに接続された前記オーディオ機器のＬＥＦＴチャンネル、ＲＩＧＨＴチャンネル、ＭＩＤＤＬＥチャンネルそれぞれのインピーダンスを電圧値に変換する変換手段と、該変換手段により変換されたＬＥＦＴチャンネル、ＲＩＧＨＴチャンネル、ＭＩＤＤＬＥチャンネルそれぞれの電圧値を、デジタル値に変換するＡ／Ｄコンバータと、を少なくとも備え、ＣＰＵが、前記Ａ／Ｄコンバータにてデジタル値に変換したＬＥＦＴチャンネル、ＲＩＧＨＴチャンネル、ＭＩＤＤＬＥチャンネルそれぞれの電圧値を、あらかじめ設定した電圧閾値と比較し、比較結果の組み合わせに基づいて、接続された前記オーディオ機器の種別を判別し、
前記ＣＰＵは、前記Ａ／Ｄコンバータ、及び、前記電圧閾値を記憶したメモリとバス接続されており、前記電圧閾値は、前記ＣＰＵのソフトウェア制御により、任意の値に設定変更を行うことができ、
前記ＣＰＵは、ＲＩＧＨＴチャンネル、ＭＩＤＤＬＥチャンネルの電圧値の双方と０Ｖとの比較結果に基づいて、前記ジャックインタフェースに接続されたオーディオ機器プラグが、２極プラグ、３極プラグ、４極プラグのいずれであるかを判別し、判別後、３極プラグについては、ＬＥＦＴチャンネルとＲＩＧＨＴチャンネルの両方と、それぞれの前記電圧閾値との比較結果の組み合わせに基づいて接続された前記オーディオ機器の種別を判別し、４極プラグについては、ＭＩＤＤＬＥチャンネルとその前記電圧閾値との比較結果に基づいて接続された前記オーディオ機器の種別を判別する
ことを特徴とする携帯端末。
【請求項３】
複数種類のオーディオ機器を接続することが可能な一つの４極のジャックインタフェースを備えた携帯端末において、前記ジャックインタフェースに接続された前記オーディオ機器のＬＥＦＴチャンネル、ＲＩＧＨＴチャンネル、ＭＩＤＤＬＥチャンネルそれぞれのインピーダンスの大きさを識別することにより、接続された前記オーディオ機器の種別を判別するオーディオ機器判別手段を備え、該オーディオ機器判別手段により判別した前記オーディオ機器の種別に基づいて、オーディオ信号の変換を行うオーディオＣＯＤＥＣと前記ジャックインタフェースとの接続状態およびオーディオ信号の入出力レベルを少なくとも切り替え、
前記オーディオ機器判別手段は、前記ジャックインタフェースに接続された前記オーディオ機器のＬＥＦＴチャンネル、ＲＩＧＨＴチャンネル、ＭＩＤＤＬＥチャンネルそれぞれのインピーダンスを電圧値に変換する変換手段と、あらかじめ設定した電圧閾値を生成するＤ／Ａコンバータと、前記変換手段により変換されたＬＥＦＴチャンネル、ＲＩＧＨＴチャンネル、ＭＩＤＤＬＥチャンネルそれぞれの電圧値を、前記Ｄ／Ａコンバータにてあらかじめ生成した電圧閾値と比較する比較回路と、を少なくとも備え、前記比較回路から出力されるＬＥＦＴチャンネル、ＲＩＧＨＴチャンネル、ＭＩＤＤＬＥチャンネルそれぞれの前記電圧閾値との比較結果の組み合わせに基づいて、接続された前記オーディオ機器の種別を判別し、
前記Ｄ／Ａコンバータは、ＣＰＵとバス接続されており、ＬＥＦＴチャンネル、ＲＩＧＨＴチャンネル、ＭＩＤＤＬＥチャンネルそれぞれの電圧値と比較する前記電圧閾値は、前記ＣＰＵのソフトウェア制御により、任意の値に設定変更を行うことができ、
前記Ｄ／Ａコンバータは、ＲＩＧＨＴチャンネル、ＭＩＤＤＬＥチャンネルの電圧値の双方と０Ｖとの比較結果に基づいて、前記ジャックインタフェースに接続されたオーディオ機器プラグが、２極プラグ、３極プラグ、４極プラグのいずれであるかを判別し、判別後、３極プラグについては、ＬＥＦＴチャンネルとＲＩＧＨＴチャンネルの両方と、それぞれの前記電圧閾値との比較結果の組み合わせに基づいて接続された前記オーディオ機器の種別を判別し、４極プラグについては、ＭＩＤＤＬＥチャンネルとその前記電圧閾値との比較結果に基づいて接続された前記オーディオ機器の種別を判別する
ことを特徴とする携帯端末。
【請求項４】
前記オーディオＣＯＤＥＣと前記ジャックインタフェースとの接続状態およびオーディオ信号の入出力レベルを切り替える動作をソフトウェア制御により行うことを特徴とする請求項１乃至３のいずれかに記載の携帯端末。
【請求項５】
前記比較回路から出力されるＬＥＦＴチャンネル、ＲＩＧＨＴチャンネル、ＭＩＤＤＬＥチャンネルそれぞれの前記電圧閾値との比較結果により、前記オーディオＣＯＤＥＣの動作状態および前記オーディオＣＯＤＥＣと前記ジャックインタフェースとの接続状態を切り替えることを特徴とする請求項３に記載の携帯端末。
【請求項６】
前記オーディオ機器判別手段は、ＬＥＦＴチャンネル、ＭＩＤＤＬＥチャンネルの双方の電圧値が前記電圧閾値以上に高く、かつ、ＲＩＧＨＴチャンネルの電圧値が前記電圧閾値よりも低い場合、接続された前記オーディオ機器が、４極プラグタイプの２入力マイク対応型ヘッドセットであるものと判別し、
ＭＩＤＤＬＥチャンネルの電圧値が０Ｖではなく、かつ、ＭＩＤＤＬＥチャンネル、ＲＩＧＨＴチャンネルの双方の電圧値が前記電圧閾値よりも低く、かつ、ＬＥＦＴチャンネルの電圧値が前記電圧閾値以上に高い場合、接続された前記オーディオ機器が、４極プラグタイプのステレオイヤホンマイクであるものと判別し、
ＭＩＤＤＬＥチャンネルの電圧値が０Ｖであり、かつ、ＲＩＧＨＴチャンネルの電圧値が前記電圧閾値よりも低く、かつ、ＬＥＦＴチャンネルの電圧値が前記電圧閾値以上に高い場合、接続された前記オーディオ機器が、３極プラグタイプのイヤホンマイクであるものと判別し、
ＭＩＤＤＬＥチャンネルの電圧値が０Ｖであり、かつ、ＬＥＦＴチャンネル、ＲＩＧＨＴチャンネルのいずれの電圧値も前記電圧閾値よりも低い場合、接続された前記オーディオ機器が、３極プラグタイプのヘッドホンであるものと判別し、
ＭＩＤＤＬＥチャンネルの電圧値が０Ｖであり、かつ、ＬＥＦＴチャンネル、ＲＩＧＨＴチャンネルの双方の電圧値が前記電圧閾値以上に高い場合、接続された前記オーディオ機器が、３極プラグタイプのステレオマイクであるものと判別し、
ＭＩＤＤＬＥチャンネル、ＲＩＧＨＴチャンネルの双方の電圧値が０Ｖの場合、接続された前記オーディオ機器が、２極プラグタイプのモノラルイヤホンであるものと判別
することを特徴とする請求項１乃至５のいずれかに記載の携帯端末。
【請求項７】
前記ジャックインタフェースに前記オーディオ機器のプラグが接続されたことを認識するプラグ認識手段を備え、前記プラグ認識手段により、前記ジャックインタフェースに前記オーディオ機器のプラグが接続されたことを認識した場合に、接続された前記オーディオ機器の種別を判別する前記オーディオ機器判別手段の動作を起動することを特徴とする請求項１乃至６のいずれかに記載の携帯端末。
【発明の詳細な説明】
【技術分野】
【０００１】
本発明は、携帯端末、オーディオ機器判別方法、オーディオ機器判別プログラムおよびプログラム記録媒体に関し、特に、オーディオ機能を備えた携帯端末に関する。
【背景技術】
【０００２】
特許文献１の特開２００６-２１１４３５号公報「携帯端末」のように、従来、携帯可能な小型の端末（例えばノートＰＣ、ＰＤＡなど）には、外付けのヘッドホンやマイクを接続するジャックインタフェースが備えられているものがほとんどである。
【特許文献１】特開２００６-２１１４３５号公報（第６−８頁）
【発明の開示】
【発明が解決しようとする課題】
【０００３】
ノートＰＣの場合、或る程度の物理的なサイズが許容されるため、ヘッドホン、マイク、ラインインなどの各種オーディオ機器のプラグに合わせた複数のジャックインタフェースとそれらの回路とを搭載することが可能である。
【０００４】
しかしながら、より小さい携帯端末であるＰＤＡなどにおいては、複数のジャックインタフェースを搭載することが物理的に厳しく、一般的には、ヘッドホンもしくはイヤホンマイクといった単一機能かつ単一のインタフェースのみが搭載されており、オーディオ機能を十分に提供することができていないという課題を抱えている。
【０００５】
その反面、マルチメディア機能やソリューションシステムの進歩に伴い、ＰＤＡなどの小型の携帯端末であっても、ヘッドホン、イヤホンマイク、ステレオマイクなどの各種オーディオ機器に適応することを求める要求が益々強くなってきており、携帯端末の小型化を維持した上で、各種オーディオ機器に対応するマルチファンクショナブルなジャックインタフェースとその回路並びに接続されたオーディオ機器の種別に対して適切なスピーカボリュームやマイクゲインの設定を施すソフトウェアの提供および周囲ノイズ除去を目的とした２入力マイク対応型ヘッドセットなどに対応することが課題となってきている。
【０００６】
また、様々な特性を持つマイクやスピーカに対応するため、既存のオーディオデバイスのみでなく、加えて、将来のオーディオデバイスについても、ソフトウェア（ＳＷ）的な設定のみで、あるいは、簡単な改造によって、対応可能とすることが課題となっている。
【０００７】
かくのごとき課題を解決するため、本発明は、単一のジャックインタフェースに接続されるヘッドホン、イヤホンマイク、ステレオマイクといった複数種類のオーディオ機器を自動的に検出し、接続されたオーディオ機器の種別に適したオーディオ回路への接続や動作に切り替えることを可能とする携帯端末、オーディオ機器判別方法、オーディオ機器判別プログラムおよびプログラム記録媒体を提供することを、その目的としている。
【０００８】
また、様々な特性を有するマイクやスピーカに対応するために、接続される入力機器（マイク）や出力機器（スピーカ）のインピーダンス特性に応じて、任意の閾値をソフトウェア（ＳＷ）的に設定可能とする携帯端末、オーディオ機器判別方法、オーディオ機器判別プログラムおよびプログラム記録媒体を提供することを、その目的としている。
【課題を解決するための手段】
【０００９】
前述の課題を解決するため、本発明による携帯端末、オーディオ機器判別方法、オーディオ機器判別プログラムおよびプログラム記録媒体は、次のような特徴的な構成を採用している。
【００１０】
（１）複数種類のオーディオ機器を接続することが可能な一つの４極のジャックインタフェースを備えた携帯端末において、前記ジャックインタフェースに接続された前記オーディオ機器のＬＥＦＴチャンネル、ＲＩＧＨＴチャンネル、ＭＩＤＤＬＥチャンネルそれぞれのインピーダンスの大きさを識別することにより、接続された前記オーディオ機器の種別を判別するオーディオ機器判別手段を備え、該オーディオ機器判別手段により判別した前記オーディオ機器の種別に基づいて、オーディオ信号の変換を行うオーディオＣＯＤＥＣと前記ジャックインタフェースとの接続状態およびオーディオ信号の入出力レベルを少なくとも切り替える携帯端末。
【発明の効果】
【００１１】
本発明の携帯端末、オーディオ機器判別方法、オーディオ機器判別プログラムおよびプログラム記録媒体によれば、以下のような効果を得ることができる。 
【００１２】
一つのジャックインタフェースのみで、モノラルイヤホン（２極ジャック）、ステレオヘッドホン（３極ジャック）、イヤホンマイク（３極ジャック）、ステレオマイク（３極ジャック）、２入力マイク対応型ヘッドセット（４極ジャック）、あるいは、ステレオイヤホンマイク（４極ジャック）といった複数種のオーディオ機器、２極プラグ、３極プラグおよび４極プラグに適応することが可能となり、小型化された携帯端末であっても、その物理的なサイズを損ねることなく、より多様なオーディオ機能を十分に提供することが可能となる。
【００１３】
また、ソフトウェア（ＳＷ）的な設定のみで対応することを可能としているので、既存のデバイスだけでなく、将来のデバイスについても、より多くのオーディオデバイスをサポートすることができる。
【００１４】
また、オーディオ機器を接続した後の種別判定と各オーディオ機器に適する設定はソフトウェア制御により自動的に行なわれるため、利用者がわざわざ切り替えの操作を行なう必要がなく、さらに、適用するジャックインタフェースの誤挿入防止にも役立ち、故障率の低減にも役立つという効果も得られる。
【発明を実施するための最良の形態】
【００１５】
以下、本発明による携帯端末、オーディオ機器判別方法、オーディオ機器判別プログラムおよびプログラム記録媒体の好適な実施形態について添付図を参照して説明する。なお、以下の説明においては、本発明による携帯端末、オーディオ機器判別方法について説明するが、かかるオーディオ機器判別方法をコンピュータにより実行可能なオーディオ機器判別プログラムとして実施するようにしても良いし、あるいは、オーディオ機器判別プログラムをコンピュータにより読み取り可能な記録媒体に記録するようにしても良いことは言うまでもない。
【００１６】
（本発明の特徴）
本発明の実施形態の説明に先立って、本発明の特徴についてその概要をまず説明する。本発明は、オーディオジャックインタフェースに接続されるヘッドホン、イヤホンマイク、ステレオマイク等の複数種のオーディオ機器を接続するインタフェースとして一つの４極ジャックインタフェースのみ備えた携帯端末であって、一つの該ジャックインタフェースに接続されたオーディオ機器の種別の自動判別を行い、接続されたオーディオ機器に適した入出力回路への接続と入出力信号レベルの設定などを行うソフトウェア（ＳＷ：Software）動作の切り替えを自動的に行うことを可能とする携帯端末を提供することを主要な特徴としている。
【００１７】
あるいは、接続されたオーディオ機器を判別するためのオーディオジャック自動判別検出回路の閾値をソフトウェア（ＳＷ）制御により任意に設定する機能を有し、かつ、オーディオ機器を接続した４極ジャックインタフェースの検出信号を前記閾値と比較する比較回路をハードウェア（ＨＷ：Hardware）によって実現することにより、ソフトウェア処理（ＳＷ処理）の効率的な並列動作を可能とし、即応性の向上を図ることを特徴としている。
【００１８】
つまり、本発明においては、携帯端末に搭載される一つのジャックインタフェースに接続されるヘッドホン、イヤホンマイク、ステレオマイク等の各オーディオ機器をソフトウェア等の設定値に基づいて自動的に判別し、その判別結果に応じて、オーディオの入出力回路を切り替え、かつ、入出力信号レベルを適切な値に設定することによって、一つのジャックインタフェースにて複数種類のオーディオ機器に適応させることを可能にしている。
【００１９】
ここで、ジャックインタフェースに接続される各オーディオ機器を自動的に判別するために、各オーディオ機器のプラグに配線されているＬＥＦＴチャンネル−ＧＮＤ間、ＲＩＧＨＴチャンネル−ＧＮＤ間およびＭＩＤＤＬＥチャンネル-ＧＮＤ間のインピーダンス特性を利用して、それぞれのインピーダンスを電圧値に変換し、携帯端末内部に設けたＡ／Ｄコンバータの１ｃｈ、２ｃｈ、３ｃｈとして変換された電圧値を読み取り、ソフトウェア（ＳＷ）制御により任意の値に設定される電圧閾値（基準電圧Ｒｅｆ）と比較する。なお、電圧閾値（基準電圧）は、１ｃｈ、２ｃｈ、３ｃｈそれぞれに異なる閾値を設定することも可能であり、それぞれのチャンネルに設定された第１の基準電圧、第２の基準電圧および第３の基準電圧と、ＬＥＦＴチャンネル、ＲＩＧＨＴチャンネルおよびＭＩＤＤＬＥチャンネルそれぞれの変換された電圧値とが、それぞれ、ソフトウェア（ＳＷ）上の比較処理あるいはハードウェア（ＨＷ）上の比較回路（コンパレータ）にて比較されて、それぞれのチャンネルに対応して、３ビットの状態信号が比較結果として生成される。
【００２０】
接続されたオーディオ機器のＬＥＦＴチャンネル、ＲＩＧＨＴチャンネルとＭＩＤＤＬＥチャンネルのそれぞれについては、一般的に、入力機器（マイク）のインピーダンスは、１ＫΩ以上と大きく、また、出力機器（スピーカ）のインピーダンスは、８Ω〜３００Ω程度と小さいので、比較結果の出力が入力機器（マイク）かまたは出力機器（スピーカ）かによって異なる。ソフトウェア（ＳＷ）上の比較処理あるいはハードウェア（ＨＷ）上の比較回路から出力される３ビットの状態信号は、前述のように、ＬＥＦＴチャンネル、ＲＩＧＨＴチャンネルおよびＭＩＤＤＬＥチャンネルの電圧値とそれぞれの電圧閾値（第１の基準電圧、第２の基準電圧および第３の基準電圧）との比較結果を示しており、該比較結果の組み合わせによって、接続されたオーディオ機器の種別がモノラルイヤホン、ステレオヘッドホン、イヤホンマイク、ステレオマイク、２入力マイク対応ヘッドセット、あるいは、ステレオイヤホンマイクなどのいずれであるかが判別される。
【００２１】
前述のソフトウェア（ＳＷ）上の比較処理あるいはハードウェア（ＨＷ）上の比較回路における電圧閾値つまり基準電圧をハードウェア的に固定化してしまうと、入力機器（マイク）や出力機器（スピーカ）のインピーダンス特性が想定されないものには対応することができなくなるため、ソフトウェア（ＳＷ）制御によって電圧閾値つまり基準電圧を任意に設定可能にするＡ／ＤコンバータあるいはＤ／Ａコンバータを設けたハードウェア構成とする。
【００２２】
ソフトウェア（ＳＷ）上の比較処理にて比較を行う場合、携帯端末内部でＡ／Ｄコンバータの１ｃｈ〜３ｃｈ（ＬＥＦＴ，ＲＩＧＨＴ，ＭＩＤＤＬＥの各チャンネル）における電圧値をソフトウェア制御により設定された電圧閾値つまり基準電圧と比較する。オーディオ機器を接続するジャックインタフェースには、オーディオ信号の入出力を切り替える入出力セレクタ回路が接続されており、電圧閾値との比較結果に応じて、ＬＥＦＴチャンネル、ＲＩＧＨＴチャンネルとＭＩＤＤＬＥチャンネルのそれぞれを、入力（マイク）ＰＡＳＳもしくは出力（スピーカ）ＰＡＳＳに切り替える。
【００２３】
この際、入出力セレクタ回路には、ジャックインタフェースにオーディオ機器が接続されたことを認識するプラグ認識信号が入力されており、オーディオ機器が接続されたことが検出された際に、初めて、接続されたオーディオ機器の種別に合った入出力をジャックインタフェースに供給する動作を起動することが可能である。
【００２４】
さらに、ジャックインタフェースのプラグ認識信号は、オーディオＣＯＤＥＣに入力され、これに基づいて、オーディオＣＯＤＥＣはＣＰＵに対して割り込み処理を行う。ＣＰＵへの割り込み処理によって、携帯端末に搭載されているソフトウェアは、Ａ／Ｄコンバータにおける比較結果に基づいて、接続されたオーディオ機器の種別を判別し、各オーディオ機器に適した入出力の値(出力ボリューム、入力ゲインなど)で動作するように設定する。
【００２５】
あるいは、ハードウェア（ＨＷ）上の比較回路にて比較を行う場合、ソフトウェア（ＳＷ）制御によって電圧閾値つまり基準電圧を任意に設定可能にするＤ／Ａコンバータおよび比較回路（コンパレータ）を設け、かつ、該比較回路の出力によって入出力セレクタ回路を直接制御することを可能としたハードウェア構成とする。
【００２６】
比較回路（コンパレータ）からの出力である３ビットの状態信号は、ＣＯＤＥＣの制御ＩＯ部およびオーディオ信号の入出力を切り替える入出力セレクタ回路の制御部に接続されており、電圧閾値との比較結果に応じて、ＬＥＦＴチャンネル、ＲＩＧＨＴチャンネルとＭＩＤＤＬＥチャンネルのそれぞれを、入力（マイク）ＰＡＳＳもしくは出力（スピーカ）ＰＡＳＳに切り替える。
【００２７】
なお、ジャックインタフェースへのオーディオ機器の接続状態はオーディオＣＯＤＥＣにてジャックインタフェースからのプラグ認識信号として認識可能としている。したがって、プラグ認識信号による認識結果に基づいて、オーディオＣＯＤＥＣはＣＰＵに対して割り込み処理を行う。割り込み処理によって、携帯端末に搭載されているソフトウェア（ＳＷ）は、ジャックインタフェースへのオーディオ機器の接続を認識し、接続された各オーディオ機器に適した入出力の値(出力ボリューム、入力ゲイン)で動作するようにオーディオＣＯＤＥＣの動作状態を設定する。
【００２８】
（第１の実施形態の構成）
まず、本発明による携帯端末の第１の実施形態として、ジャックインタフェースに接続されるオーディオ機器の各チャンネルの変換後の電圧値と電圧閾値つまり基準電圧との比較をソフトウェア（ＳＷ）的に設定された電圧閾値を用いてＡ／Ｄコンバータにより行う場合について説明する。
【００２９】
図１は、本発明による携帯端末の第１の実施形態におけるブロック構成の一例を示すブロック構成図である。図１を参照すると、本第１の実施形態による携帯端末は、オーディオ機器のプラグが接続される４極のジャックインタフェース１０と、ＬＥＦＴチャンネル、ＲＩＧＨＴチャンネルおよびＭＩＤＤＬＥチャンネルのインピーダンス特性を電圧値へ変換するＲ→Ｖ変換回路２０と、それぞれ変換された電圧値をソフトウェア（ＳＷ）的に設定された電圧閾値つまり基準電圧と比較した結果を出力する多チャンネル多ビットのＡ／Ｄコンバータ３０と、ＣＰＵ６０と、メモリ７０と、各回路を接続するバス６０２と、を有して構成されている。なお、Ａ／Ｄコンバータ３０では、Ｒ→Ｖ変換回路２０にて変換された電圧値をデジタル信号に変換して、ＣＰＵ６０に対して出力し、ＣＰＵ６０において、Ａ／Ｄコンバータ３０からの電圧値を、ソフトウェア（ＳＷ）的に設定された電圧閾値つまり基準電圧と比較するように構成しても良い。
【００３０】
さらに、オーディオＣＯＤＥＣ５０と、ジャックインタフェース１０のプラグ認識信号１０１を受け取るとともに入出力セレクタ回路４２の切り替えを制御する入出力セレクタ回路の制御部４１と、オーディオＣＯＤＥＣ５０の各入出力信号（ＬＥＦＴ／ＲＩＧＨＴ）をジャックインタフェース１０のＬＥＦＴ信号１０２、ＲＩＧＨＴ信号１０３およびＭＩＤＤＬＥ信号１０４に接続する入出力セレクタ回路４２と、を有している。また、オーディオＣＯＤＥＣ５０は、ＣＰＵ６０と専用インタフェース６０１によって接続されて構成される。
【００３１】
本第１の実施形態においては、オーディオ用のジャックインタフェース１０は、４極プラグに対応しており、ＬＥＦＴチャンネル、ＲＩＧＨＴチャンネル、ＭＩＤＤＬＥチャンネルおよびＧＮＤが配線されていて、ＬＥＦＴ信号１０２、ＲＩＧＨＴ信号１０２、ＭＩＤＤＬＥ信号１０４およびＧＮＤが接続されて、２入力マイク対応型ヘッドセットにも対応することができる。
【００３２】
図２は、図１の携帯端末に４極オーディオ機器プラグを接続した状態を説明する説明図である。つまり、図２に示すように、４極オーディオ機器プラグ８０のＬＥＦＴチャンネルインピーダンスＲ１、ＲＩＧＨＴチャンネルインピーダンスＲ２、ＭＩＤＤＬＥチャンネルインピーダンスＲ３およびＧＮＤが、ジャックインタフェース１０のそれぞれのジャックに挿入されて、ジャックインタフェース１０のＬＥＦＴ信号１０２、ＲＩＧＨＴ信号１０３、ＭＩＤＤＬＥ信号１０４およびＧＮＤ（接地部）のそれぞれに接続され、Ｒ→Ｖ変換回路２０および入出力セレクタ回路４２に接続される。
【００３３】
また、オーディオ機器のプラグとして、一般的な３極タイプにも対応しており、ジャックインタフェース１０に接続されるプラグには、それぞれ、ＬＥＦＴチャンネル、ＲＩＧＨＴチャンネル、ＧＮＤが配線されており、ヘッドホンは、ＬＥＦＴ／ＲＩＧＨＴチャンネル共に、スピーカ出力であり、イヤホンマイクは、ＬＥＦＴチャンネルがマイク入力、ＲＩＧＨＴチャンネルがスピーカ出力であり、ステレオマイクは、ＬＥＦＴ／ＲＩＧＨＴチャンネル共にマイク入力となっている。また、２極タイプのモノラルイヤホンにも対応しており、ジャックインタフェース１０に接続されるプラグには、ＬＥＦＴチャンネル、ＧＮＤが配線されており、ＬＥＦＴチャンネルは、スピーカ出力となる。
【００３４】
図３は、図１の携帯端末に３極オーディオ機器プラグを接続した状態を説明する説明図である。つまり、図３に示すように、３極オーディオ機器プラグ９０のＬＥＦＴチャンネルインピーダンスＲ１、ＲＩＧＨＴチャンネルインピーダンスＲ２およびＧＮＤが、ジャックインタフェース１０のそれぞれのジャックに挿入され、ジャックインタフェース１０のＬＥＦＴ信号１０２、ＲＩＧＨＴ信号１０３およびＧＮＤ（接地部）のそれぞれに接続され、Ｒ→Ｖ変換回路２０および入出力セレクタ回路４２に接続される。なお、ジャックインタフェース１０のＭＩＤＤＬＥ信号１０４は、ＧＮＤ（接地部）に接続される。
【００３５】
モノラルイヤホンのような２極タイプのプラグの場合、ジャックインタフェース１０に接続されるプラグには、ＬＥＦＴチャンネル、ＧＮＤが配線されており、ＬＥＦＴチャンネルインピーダンスＲ１およびＧＮＤが、ジャックインタフェース１０のそれぞれのジャックに挿入され、ジャックインタフェース１０のＬＥＦＴ信号１０２およびＧＮＤ（接地部）のそれぞれに接続され、Ｒ→Ｖ変換回路２０および入出力セレクタ回路４２に接続される。なお、ジャックインタフェース１０のＲＩＧＨＴ信号１０３およびＭＩＤＤＬＥ信号１０４は、ＧＮＤ（接地部）に接続される。
【００３６】
（第１の実施形態の動作の説明）
次に、図１に示す携帯端末の動作の一例について説明する。図２または図３に示すように、図１の携帯端末のジャックインタフェース１０にオーディオ機器の４極または３極のプラグが接続されると、ジャックインタフェース１０のＬＥＦＴ信号１０２、ＲＩＧＨＴ信号１０３およびＭＩＤＤＬＥ信号１０４として、Ｒ→Ｖ変換回路２０に入力される。
【００３７】
Ｒ→Ｖ変換回路２０は、オーディオ機器の４極または３極のプラグのＬＥＦＴチャンネルインピーダンスＲ１、ＲＩＧＨＴチャンネルインピーダンスＲ２およびＭＩＤＤＬＥチャンネルインピーダンスＲ３を、電圧に変換して、それぞれ、左電圧値Ｖ−ＬＥＦＴ２０１、右電圧値Ｖ−ＲＩＧＨＴ２０２および中電圧値Ｖ−ＭＩＤＤＬＥ２０３として出力する。
【００３８】
つまり、図４の特性表に示すように、ジャックインタフェース１０のＬＥＦＴ信号１０２、ＲＩＧＨＴ信号１０３およびＭＩＤＤＬＥ信号１０４は、オーディオ機器のプラグの各ピンが有する機能（マイク機能もしくはスピーカ機能）に対応するインピーダンス特性を有している。各信号のインピーダンスは、前述のように、Ｒ→Ｖ変換回路２０において、電圧値にそれぞれ変換され、図１に示すように、左電圧値Ｖ−ＬＥＦＴ２０１、右電圧値Ｖ−ＲＩＧＨＴ２０２および中電圧値Ｖ−ＭＩＤＤＬＥ２０３として、Ａ／Ｄコンバータ３０の１ｃｈ、２ｃｈおよび３ｃｈに出力される。
【００３９】
ここに、図４は、図１の携帯端末に接続されるオーディオ機器プラグの各チャンネルのインピーダンスの大きさを示す説明図であり、ヘッドホン、イヤホンマイク、ステレオマイク、２入力マイク対応型ヘッドセット（２入力型イヤホンマイク）によって、それぞれのオーディオ機器プラグの各チャンネルのインピーダンスが異なっていることを説明している。
【００４０】
例えば、３極オーディオ機器プラグであるヘッドホンの場合、ＬＥＦＴチャンネル、ＲＩＧＨＴチャンネルとも、スピーカ機能であり、ＬＥＦＴチャンネルインピーダンスＲ１、ＲＩＧＨＴチャンネルインピーダンスＲ２は、いずれも、３００Ω以下であり、約８Ω〜約１５０Ωの間である。また、ＭＩＤＤＬＥチャンネルインピーダンスＲ３は、ＧＮＤ（接地部）に接続されていて、０Ωである。
【００４１】
また、４極オーディオ機器プラグである２入力マイク対応型ヘッドセットの場合、ＬＥＦＴチャンネル、ＭＩＤＤＬＥチャンネルはともにマイク機能であり、ＬＥＦＴチャンネルインピーダンスＲ１、ＭＩＤＤＬＥチャンネルインピーダンスＲ３は、ともに、約１ＫΩ以上の無限大（∞）と等価であり、一方、ＲＩＧＨＴチャンネルはスピーカ機能であり、ＲＩＧＨＴチャンネルインピーダンスＲ２は、３００Ω以下であり、約８Ω〜約１５０Ωの間である。
【００４２】
左電圧値Ｖ−ＬＥＦＴ２０１、右電圧値Ｖ−ＲＩＧＨＴ２０２および中電圧値Ｖ−ＭＩＤＤＬＥ２０３は、前述のように、多チャンネル多ビットのＡ／Ｄコンバータ３０の１ｃｈ、２ｃｈおよび３ｃｈに入力される。Ａ／Ｄコンバータ３０においては、入力されてきた左電圧値Ｖ−ＬＥＦＴ２０１、右電圧値Ｖ−ＲＩＧＨＴ２０２および中電圧値Ｖ−ＭＩＤＤＬＥ２０３の電圧値とソフトウェア（ＳＷ）的に任意の値に設定することが可能な電圧閾値の基準電圧Ｒｅｆとの間の比較が行なわれる。比較結果は、図１に示すように、バス６０２を経由して、メモリ７０に保存され、ＣＰＵ６０によって、読み出されて、オーディオＣＯＤＥＣ５０に対する制御信号に変換される。
【００４３】
つまり、ＣＰＵ６０は、多チャンネル多ビットのＡ／Ｄコンバータ３０の該比較結果に基づいて、図５のフローチャートに示すような動作を行う。図５は、図１の携帯端末におけるＡ／Ｄコンバータ３０、ＣＰＵ６０の動作の一例を示すフローチャートである。図５において、Ｒ→Ｖ変換回路２０において変換された左電圧値Ｖ−ＬＥＦＴ２０１、右電圧値Ｖ−ＲＩＧＨＴ２０２および中電圧値Ｖ−ＭＩＤＤＬＥ２０３の電圧値が、Ａ／Ｄコンバータ３０の１ｃｈ、２ｃｈおよび３ｃｈに入力されると（ステップＳ１）、入力されてきた左電圧値Ｖ−ＬＥＦＴ２０１、右電圧値Ｖ−ＲＩＧＨＴ２０２および中電圧値Ｖ−ＭＩＤＤＬＥ２０３の電圧値とソフトウェア（ＳＷ）的に任意の値に設定することが可能な基準電圧Ｒｅｆとの間の比較が行なわれる（ステップＳ２）。
【００４４】
Ａ／Ｄコンバータ３０は、左電圧値Ｖ−ＬＥＦＴ２０１、右電圧値Ｖ−ＲＩＧＨＴ２０２または中電圧値Ｖ−ＭＩＤＤＬＥ２０３の電圧値が基準電圧Ｒｅｆよりも低い場合（ステップＳ２の「Ｖ−ＬＥＦＴ／Ｖ−ＲＩＧＨＴ／Ｖ−ＭＩＤＤＬＥ２０３＜ＳＷ設定参照電圧」の場合）、１ｃｈ、２ｃｈ、３ｃｈのうち、基準電圧Ｒｅｆよりも低い電圧値に該当するｃｈの出力を「Ｌｏｗ」レベルに設定して、メモリ７０に出力する（ステップＳ３）。一方、左電圧値Ｖ−ＬＥＦＴ２０１、右電圧値Ｖ−ＲＩＧＨＴ２０２または中電圧値Ｖ−ＭＩＤＤＬＥ２０３の電圧値が基準電圧Ｒｅｆ以上に高い場合（ステップＳ２の「Ｖ−ＬＥＦＴ／Ｖ−ＲＩＧＨＴ／Ｖ−ＭＩＤＤＬＥ２０３≧ＳＷ設定参照電圧」の場合）、１ｃｈ、２ｃｈ、３ｃｈのうち、基準電圧Ｒｅｆ以上に高い電圧値に該当するｃｈの出力を「Ｈｉｇｈ」レベルに設定して、メモリ７０に出力する（ステップＳ４）。
【００４５】
次に、ＣＰＵ６０は、メモリ７０に保存されている１ｃｈ、２ｃｈ、３ｃｈそれぞれの出力レベル（「Ｌｏｗ」レベル、「Ｈｉｇｈ」レベル）の組み合わせを判別する（ステップＳ５）。まず、組み合わせとして、１ｃｈ，３ｃｈの出力が「Ｈｉｇｈ」レベルで、２ｃｈの出力が「Ｌｏｗ」レベルであった場合（ステップＳ５の「１ｃｈ＝［Ｈｉｇｈ］、２ｃｈ＝［Ｌｏｗ］、３ｃｈ＝［Ｈｉｇｈ］」の場合）、図４に示すように、４極プラグの２入力マイク対応型ヘッドセットと判別する（ステップＳ１０）。なお、３ｃｈの出力が「Ｈｉｇｈ」レベルであった場合に、１ｃｈ、２ｃｈの出力レベルが前述の組み合わせ以外であった場合には、既存のオーディオ機器としては、該当するオーディオ機器プラグが存在していないものとして、判別処理を打ち切る。
【００４６】
ステップＳ５において、３ｃｈの出力が「Ｌｏｗ」レベルであった場合（ステップＳ５の「３ｃｈ＝［Ｌｏｗ］」の場合）、３極オーディオ機器プラグが接続されている場合であり、次に、１ｃｈ、２ｃｈの出力レベルの組み合わせを判別する（ステップＳ６）。組み合わせとして、１ｃｈの出力が「Ｈｉｇｈ」レベルで、２ｃｈの出力が「Ｌｏｗ」レベルであった場合（ステップＳ６の「１ｃｈ＝［Ｈｉｇｈ］、２ｃｈ＝［Ｌｏｗ］」の場合）、図４に示すように、イヤホンマイクと判別する（ステップＳ７）。また、１ｃｈ、２ｃｈの出力がともに「Ｌｏｗ」レベルであった場合（ステップＳ６の「１ｃｈ＝［Ｌｏｗ］、２ｃｈ＝［Ｌｏｗ］」の場合）、図４に示すように、ヘッドホンと判別する（ステップＳ８）。また、１ｃｈ、２ｃｈの出力がともに「Ｈｉｇｈ」レベルであった場合（ステップＳ６の「１ｃｈ＝［Ｈｉｇｈ］、２ｃｈ＝［Ｈｉｇｈ］」の場合）、図４に示すように、ステレオマイクと判別する（ステップＳ９）。
【００４７】
ＣＰＵ６０は、判別した結果に基づいて、接続されたオーディオ機器に適した回路への接続やオーディオ動作に切り替えるために、専用インタフェース６０１を介して、オーディオＣＯＤＥＣ５０に制御信号を出力して、オーディオＣＯＤＥＣ５０の動作を切り替えさせる。この結果、オーディオＣＯＤＥＣ５０の制御ＩＯ部から入出力セレクタ回路の制御部４１に対する出力制御信号５０１，５０２，５０３の出力が、接続されたオーディオ機器プラグの判別結果に応じて、異なる値として出力される。したがって、入出力セレクタ回路４２は、接続されたオーディオ機器に適した状態で、オーディオＣＯＤＥＣ５０からの出力信号（ＬＥＦＴ／ＲＩＧＨＴ）を、ジャックインタフェース１０のＬＥＦＴ信号１０２、ＲＩＧＨＴ信号１０３、ＭＩＤＤＬＥ信号１０４として提供し、また、逆に、ジャックインタフェース１０からのＬＥＦＴ信号１０２、ＲＩＧＨＴ信号１０３、ＭＩＤＤＬＥ信号１０４をオーディオＣＯＤＥＣ５０への入力信号（ＬＥＦＴ／ＲＩＧＨＴ）として供給する。
【００４８】
前述のように、接続されたオーディオ機器プラグのピンが、スピーカ機能の場合には、「Ｌｏｗ」レベルつまりＳＷ設定基準電圧Ｒｅｆよりも低い電圧値が認識され、一方、マイク機能の場合には、「Ｈｉｇｈ」レベルつまりＳＷ設定基準電圧値Ｒｅｆ以上に高い電圧値が認識されることとなる。したがって、オーディオＣＯＤＥＣ５０の制御ＩＯ部の出力制御信号５０１，５０２，５０３の出力の組み合わせによって、入出力セレクタ回路の制御部４１においても、ジャックインタフェース１０に接続されたオーディオ機器がヘッドホン、イヤホンマイク、ステレオマイクもしくは２入力マイク対応型ヘッドセットのいずれであるかを判別することができる。また、ＳＷ設定基準電圧値Ｒｅｆは、ＣＰＵ６０のソフトウェア制御によってメモリ７０に記憶されており、必要に応じて、更新される。
【００４９】
図６は、図１の携帯端末におけるオーディオ信号の入出力セレクタ回路４２とその入出力セレクタ回路４２を制御する制御部４１を説明する説明図であり、制御部４１には、オーディオ機器が未接続の際の回路誤動作を防止するために、ジャックインタフェース１０からのプラグ認識信号１０１と、オーディオＣＯＤＥＣ５０の制御ＩＯ部からの出力制御信号５０１，５０２，５０３の出力と、が入力される。
【００５０】
制御部４１は、図５のフローチャートにおいて示した通り、オーディオＣＯＤＥＣ５０の制御ＩＯ部からの出力制御信号５０１，５０２，５０３の出力の組み合わせに応じて、接続されたオーディオ機器プラグの種別を判別し、判別した結果に基づいて、図６の説明図に示す通り、入出力セレクタ回路４２のスイッチＳＷ−Ａ４２１，ＳＷ−Ｂ４２２，ＳＷ−Ｃ４２３，ＳＷ−Ｄ４２４，ＳＷ−Ｅ４２５，ＳＷ−Ｆ４２６のＯＮ／ＯＦＦ状態を切り替えて、接続されたオーディオ機器に適切なＰＡＳＳを提供する。
【００５１】
ここに、スイッチＳＷ−Ａ４２１は、オーディオＣＯＤＥＣ５０からの出力信号（ＬＥＦＴ）をジャックインタフェースのＬＥＦＴ信号１０２に接続するスイッチであり、ＳＷ−Ｂ４２２は、ジャックインタフェースのＬＥＦＴ信号１０２をオーディオＣＯＤＥＣ５０への入力信号（ＬＥＦＴ）に接続するスイッチである。また、スイッチＳＷ−Ｃ４２３は、オーディオＣＯＤＥＣ５０からの出力信号（ＲＩＧＨＴ）をジャックインタフェースのＲＩＧＨＴ信号１０３に接続するスイッチであり、ＳＷ−Ｄ４２４は、ジャックインタフェースのＲＩＧＨＴ信号１０３をオーディオＣＯＤＥＣ５０への入力信号（ＲＩＧＨＴ）に接続するスイッチである。また、スイッチＳＷ−Ｅ４２５は、オーディオＣＯＤＥＣ５０からの出力信号（ＭＩＤＤＬＥ）をジャックインタフェースのＭＩＤＤＬＥ信号１０４に接続するスイッチであり、ＳＷ−Ｆ４２６は、ジャックインタフェースのＭＩＤＤＬＥ信号１０４をオーディオＣＯＤＥＣ５０への入力信号（ＭＩＤＤＬＥ）に接続するスイッチである。
【００５２】
接続されたオーディオ機器がヘッドホンとして判別された場合は、図６に示すＳＷ−Ａ４２１とＳＷ−Ｃ４２３とが、また、接続されたオーディオ機器がイヤホンマイクとして判別された場合は、図６に示すＳＷ−Ｂ４２２とＳＷ−Ｃ４２３とが、また、接続されたオーディオ機器がステレオマイクとして判別された場合は、図６に示すＳＷ−Ｂ４２２とＳＷ−Ｄ４２４とが、それぞれ、ＯＮ状態となる。また、４極プラグにて使用可能となる２入力マイク対応型ヘッドセットとして判別された場合は、図６に示すＳＷ−Ｂ４２２，ＳＷ−Ｃ４２３およびＳＷ−Ｆ４２６がＯＮ状態となる。
【００５３】
以上の切り替え動作によって、図６において、ジャックインタフェース１０のＬＥＦＴ信号１０２、ＲＩＧＨＴ信号１０３およびＭＩＤＤＬＥ信号１０４は、接続されたオーディオ機器の種類に応じて、オーディオＣＯＤＥＣ５０の適切なオーディオ信号と接続される。
【００５４】
さらに、図７に示すように、ジャックインタフェース１０から入出力セレクタ回路の制御部４１に入力されるプラグ認識信号１０１は、オーディオＣＯＤＥＣ５０の制御部にも入力されており、オーディオＣＯＤＥＣ５０の制御部は、プラグ認識信号１０１によって、ジャックインタフェース１０にオーディオ機器が接続されたことを検出した場合、ＣＰＵ６０に対して専用インタフェース６０１を介して、割り込みを発生させる。図７は、図１の携帯端末においてジャックインタフェース１０にオーディオ機器が接続されたことをＣＰＵ６０に通知する経路の一例を説明する説明図である。
【００５５】
専用インタフェース６０１を介してオーディオ機器が接続されたことを示す割り込みが発生すると、ＣＰＵ６０は、多チャンネル多ビットＡ／Ｄコンバータ３０により検出された電圧値とＳＷ設定基準電圧Ｒｅｆとの比較結果に基づいて、接続されたオーディオ機器の種別を判別する動作を行い、判別した結果に基づいて、オーディオＣＯＤＥＣ５０の制御ＩＯ部に対して制御信号を生成して出力する。この結果、ＣＰＵ６０からの制御信号により、接続されたオーディオ機器に適した状態にオーディオＣＯＤＥＣ５０の動作が切り替えられると同時に、入出力セレクタ回路４２の接続状態も、オーディオＣＯＤＥＣ５０の制御ＩＯ部からの出力制御信号５０１，５０２，５０３に基づいて、接続されたオーディオ機器に適した状態に設定される。而して、適切なソフトウェアの設定値（出力ボリューム、入力ゲインなど）によって、オーディオの入出力動作を開始させることができる。
【００５６】
（第１の実施形態の効果の説明）
以上のように、本第１の実施形態によれば、一つのジャックインタフェース１０のみで、モノラルイヤホン（２極ジャック）、ステレオヘッドホン（３極ジャック）、イヤホンマイク（３極ジャック）、ステレオマイク（３極ジャック）、２入力マイク対応型ヘッドセット（４極ジャック）といった複数種のオーディオ機器、２極プラグ、３極プラグおよび４極プラグに適応することが可能となり、小型化された携帯端末であっても、その物理的なサイズを損ねることなく、オーディオ機能を十分に提供することが可能となる。
【００５７】
また、オーディオ機器を接続した後の種別判定と各オーディオ機器に適する設定はソフトウェア制御により自動的に行なわれるため、利用者がわざわざ切り替えの操作を行なう必要がなく、さらに、適用するジャックインタフェースの誤挿入防止にも役立ち、故障率の低減にも役立つという効果も得られる。
【００５８】
（第２の実施形態の構成例）
次に、本発明による携帯端末の第２の実施形態として、ジャックインタフェースに接続されるオーディオ機器の各チャンネルの変換後の電圧値と電圧閾値つまり基準電圧との比較を比較回路によりハードウェア（ＨＷ）的に行う場合について説明する。図８は、本発明による携帯端末の第２の実施形態におけるブロック構成の一例を示すブロック構成図である。
【００５９】
図８を参照すると、本第２の実施形態による携帯端末は、オーディオ機器のプラグが接続される４極のジャックインタフェース１０と、ＬＥＦＴチャンネル、ＲＩＧＨＴチャンネルおよびＭＩＤＤＬＥチャンネルのインピーダンス特性を電圧値つまり左電圧値Ｖ−ＬＥＦＴ２０１、右電圧値Ｖ−ＲＩＧＨＴ２０２および中電圧値Ｖ−ＭＩＤＤＬＥ２０３へそれぞれ変換するＲ→Ｖ変換回路２０と、それぞれ変換された電圧値つまり左電圧値Ｖ−ＬＥＦＴ２０１、右電圧値Ｖ−ＲＩＧＨＴ２０２および中電圧値Ｖ−ＭＩＤＤＬＥ２０３を、電圧閾値つまり第１の基準電圧８５１、第２の基準電圧８５２および第３の基準電圧８５３とそれぞれ比較する第１の比較回路３１、第２の比較回路３２および第３の比較回路３３と、第１の基準電圧８５１、第２の基準電圧８５２および第３の基準電圧８５３を１ｃｈ、２ｃｈおよび３ｃｈから出力するＤ／Ａコンバータ８５、右電圧値Ｖ−ＲＩＧＨＴ２０２、中電圧値Ｖ−ＭＩＤＤＬＥ２０３を１ｃｈ、２ｃｈから入力して、ＲＩＧＨＴチャンネル、ＭＩＤＤＬＥチャンネルそれぞれの変換された電圧値をデジタル値に変換する多チャンネル多ビットのＡ／Ｄコンバータ３５と、ＣＰＵ６０と、各回路を接続するバス６０２と、を有して構成されている。
【００６０】
Ｄ／Ａコンバータ８５は、バス６０２を介して、ＣＰＵ６０と接続され、第１の基準電圧８５１、第２の基準電圧８５２および第３の基準電圧８５３の電圧値をソフトウェア（ＳＷ）制御により可変に設定することができる。また、Ａ／Ｄコンバータ３５が検出したＲＩＧＨＴチャンネル、ＭＩＤＤＬＥチャンネルの電圧値は、バス６０２を介して、ＣＰＵ６０に入力される。
【００６１】
さらに、オーディオＣＯＤＥＣ５０と、ジャックインタフェース１０のプラグ認識信号１０１を受け取るとともに入出力セレクタ回路４２の切り替えを制御する入出力セレクタ回路の制御部４１と、オーディオＣＯＤＥＣ５０の各入出力信号（ＬＥＦＴ／ＲＩＧＨＴ）をジャックインタフェース１０のＬＥＦＴ信号１０２、ＲＩＧＨＴ信号１０３およびＭＩＤＤＬＥ信号１０４に接続する入出力セレクタ回路４２と、を有している。また、オーディオＣＯＤＥＣ５０は、ＣＰＵ６０と専用インタフェース６０１によって接続されて構成される。
【００６２】
第１の比較回路３１、第２の比較回路３２および第３の比較回路３３それぞれの比較結果である第１の比較結果３１１、第２の比較結果３１２および第３の比較結果３１３は、入出力セレクタ回路４２の制御部４１およびオーディオＣＯＤＥＣ５０の制御ＩＯ部に入力され、ジャックインタフェース１０に接続されたオーディオ機器のプラグの種類を自動的に識別して、入出力セレクタ回路４２の接続の切り替えおよびオーディオＣＯＤＥＣ５０の動作の切り替えを迅速に行う構成とされている。
【００６３】
本第２の実施形態においては、オーディオ用のジャックインタフェース１０は、４極プラグ、３極プラグおよび２極プラグに対応している。４極プラグの場合は、ＬＥＦＴチャンネル、ＲＩＧＨＴチャンネル、ＭＩＤＤＬＥチャンネルおよびＧＮＤが配線されていて、ＬＥＦＴ信号１０２、ＲＩＧＨＴ信号１０３、ＭＩＤＤＬＥ信号１０４およびＧＮＤが接続されて、２入力マイク対応型ヘッドセットやステレオイヤホンマイクにも対応することができる。
【００６４】
図９は、図８の携帯端末に４極オーディオ機器プラグを接続した状態を説明する説明図である。つまり、図９に示すように、４極オーディオ機器プラグ８０のＬＥＦＴチャンネルインピーダンスＲ１、ＲＩＧＨＴチャンネルインピーダンスＲ２、ＭＩＤＤＬＥチャンネルインピーダンスＲ３およびＧＮＤが、ジャックインタフェース１０のそれぞれのジャックに挿入されて、ジャックインタフェース１０のＬＥＦＴ信号１０２、ＲＩＧＨＴ信号１０３、ＭＩＤＤＬＥ信号１０４およびＧＮＤ（接地部）のそれぞれに接続され、Ｒ→Ｖ変換回路２０および入出力セレクタ回路４２に接続される。
【００６５】
また、図１０は、図８の携帯端末に３極オーディオ機器プラグを接続した状態を説明する説明図である。つまり、図１０に示すように、３極オーディオ機器プラグ９０のＬＥＦＴチャンネルインピーダンスＲ１、ＲＩＧＨＴチャンネルインピーダンスＲ２およびＧＮＤが、ジャックインタフェース１０のそれぞれのジャックに挿入され、ジャックインタフェース１０のＬＥＦＴ信号１０２、ＲＩＧＨＴ信号１０３およびＧＮＤ（接地部）のそれぞれに接続され、Ｒ→Ｖ変換回路２０および入出力セレクタ回路４２に接続される。なお、ジャックインタフェース１０のＭＩＤＤＬＥ信号１０４は、ＧＮＤ（接地部）に接続される。
【００６６】
また、図１１は、図８の携帯端末に２極オーディオ機器プラグを接続した状態を説明する説明図である。つまり、図１１に示すように、２極オーディオ機器プラグ９５のＬＥＦＴチャンネルインピーダンスＲ１およびＧＮＤが、ジャックインタフェース１０のそれぞれのジャックに挿入され、ジャックインタフェース１０のＬＥＦＴ信号１０２およびＧＮＤ（接地部）のそれぞれに接続され、Ｒ→Ｖ変換回路２０および入出力セレクタ回路４２に接続される。なお、ジャックインタフェース１０のＲＩＧＨＴ信号１０３およびＭＩＤＤＬＥ信号１０４は、ＧＮＤ（接地部）に接続される。
【００６７】
図１２は、図８の携帯端末におけるＬＥＦＴ信号１０２、ＲＩＧＨＴ信号１０３およびＭＩＤＤＬＥ信号１０４の電圧値とそれぞれの電圧閾値と比較する比較回路の構成の一例を示す構成図である。図１２に示すように、ＬＥＦＴ信号１０２、ＲＩＧＨＴ信号１０３およびＭＩＤＤＬＥ信号１０４のインピーダンス特性をそれぞれ電圧変換した左電圧値Ｖ−ＬＥＦＴ２０１、右電圧値Ｖ−ＲＩＧＨＴ２０２および中電圧値Ｖ−ＭＩＤＤＬＥ２０３とそれぞれの電圧閾値つまり第１の基準電圧８５１、第２の基準電圧８５２および第３の基準電圧８５３とを比較する比較回路として、第１の比較回路３１、第２の比較回路３２および第３の比較回路３３が備えられており、それぞれの比較回路における比較結果が、第１の比較結果３１１、第２の比較結果３１２および第３の比較結果３１３として出力され、図８に示すように、入出力セレクタ回路４２の制御部４１およびオーディオＣＯＤＥＣ５０の制御ＩＯ部に供給される。
【００６８】
図１３は、図８の携帯端末におけるオーディオ信号の入出力セレクタ回路４２と該入出力セレクタ回路４２を制御する制御部４１を説明する説明図である。図１３に示すように、制御部４１には、第１の比較回路３１、第２の比較回路３２および第３の比較回路３３それぞれから出力される第１の比較結果３１１、第２の比較結果３１２および第３の比較結果３１３が、オーディオ機器が未接続の際の回路誤動作や未設定状態のオーディオＣＯＤＥＣ５０からの出力を防止するために、ジャックインタフェース１０から出力されるプラグ認識信号１０１およびオーディオＣＯＤＥＣ５０の制御ＩＯ部から出力される出力制御信号５０１とともに入力される。
【００６９】
制御部４１は、第１の比較結果３１１、第２の比較結果３１２および第３の比較結果３１３の組み合わせに応じて、ジャックインタフェース１０に接続されたオーディオ機器プラグの種別を判別し、その判別結果に基づいて、入出力セレクタ回路４２のスイッチＳＷ−Ａ４２１，ＳＷ−Ｂ４２２，ＳＷ−Ｃ４２３，ＳＷ−Ｄ４２４，ＳＷ−Ｅ４２５，ＳＷ−Ｆ４２６のＯＮ／ＯＦＦ状態を切り替えて、接続されたオーディオ機器に適切なＰＡＳＳを提供する。
【００７０】
ここに、スイッチＳＷ−Ａ４２１は、オーディオＣＯＤＥＣ５０からの出力信号（ＬＥＦＴ）をジャックインタフェースのＬＥＦＴ信号１０２に接続するスイッチであり、ＳＷ−Ｂ４２２は、ジャックインタフェースのＬＥＦＴ信号１０２をオーディオＣＯＤＥＣ５０への入力信号（ＬＥＦＴ）に接続するスイッチである。また、スイッチＳＷ−Ｃ４２３は、オーディオＣＯＤＥＣ５０からの出力信号（ＲＩＧＨＴ）をジャックインタフェースのＲＩＧＨＴ信号１０３に接続するスイッチであり、ＳＷ−Ｄ４２４は、ジャックインタフェースのＲＩＧＨＴ信号１０３をオーディオＣＯＤＥＣ５０への入力信号（ＲＩＧＨＴ）に接続するスイッチである。また、スイッチＳＷ−Ｅ４２５は、オーディオＣＯＤＥＣ５０からの出力信号（ＭＩＤＤＬＥ）をジャックインタフェースのＭＩＤＤＬＥ信号１０４に接続するスイッチであり、ＳＷ−Ｆ４２６は、ジャックインタフェースのＭＩＤＤＬＥ信号１０４をオーディオＣＯＤＥＣ５０への入力信号（ＭＩＤＤＬＥ）に接続するスイッチである。
【００７１】
図１４は、図８の携帯端末においてジャックインタフェース１０にオーディオ機器が接続されたことをＣＰＵ６０に通知する経路の一例を説明する説明図である。図１４に示すように、ジャックインタフェース１０から入出力セレクタ回路４２の制御部４１に入力されるプラグ認識信号１０１は、オーディオＣＯＤＥＣ５０の制御部にも入力されており、オーディオＣＯＤＥＣ５０の制御部は、プラグ認識信号１０１によって、ジャックインタフェース１０にオーディオ機器が接続されたことを検出した場合、ＣＰＵ６０に対して専用インタフェース６０１を介して通知する。
【００７２】
なお、図１４に示すように、オーディオＣＯＤＥＣ５０の制御部には、第１の比較回路３１、第２の比較回路３２および第３の比較回路３３それぞれから出力される第１の比較結果３１１、第２の比較結果３１２および第３の比較結果３１３が入力されており、オーディオＣＯＤＥＣ５０の制御部は、ＣＰＵ６０に対して専用インタフェース６０１を介して第１の比較結果３１１、第２の比較結果３１２および第３の比較結果３１３を通知するとともに、第１の比較結果３１１、第２の比較結果３１２および第３の比較結果３１３の組み合わせに応じて、ジャックインタフェース１０に接続されたオーディオ機器プラグの種別を判別し、その判別結果に基づいて、接続されたオーディオ機器に適した状態にオーディオＣＯＤＥＣ５０の動作を切り替える。
【００７３】
また、図１４に示すように、第１の比較回路３１、第２の比較回路３２および第３の比較回路３３それぞれに入力される第１の基準電圧８５１、第２の基準電圧８５２および第３の基準電圧８５３は、ＣＰＵ６０からバス６０２を介してソフトウェア（ＳＷ）制御により指定される制御信号に基づいて、Ｄ／Ａコンバータ８５により生成される。
【００７４】
図１５は、図８の携帯端末に接続されるオーディオ機器プラグの各チャンネルのインピーダンスの大きさを示す説明図であり、ＬＥＦＴ信号１０２、ＲＩＧＨＴ信号１０３およびＭＩＤＤＬＥ信号１０４と各オーディオ機器プラグとの対応関係を示すインピーダンス特性表である。図１５に示すように、ヘッドホン、イヤホンマイク、ステレオマイク、２入力マイク対応型ヘッドセット（２入力型イヤホンマイク）、ステレオイヤホンマイク、モノラルスピーカ／イヤホンによって、それぞれのオーディオ機器プラグの各チャンネルのインピーダンスが異なっている。
【００７５】
例えば、３極オーディオ機器プラグであるヘッドホンの場合、ＬＥＦＴチャンネル、ＲＩＧＨＴチャンネルとも、スピーカ機能であり、ＬＥＦＴチャンネルインピーダンスＲ１、ＲＩＧＨＴチャンネルインピーダンスＲ２は、いずれも、３００Ω以下であり、約８Ω〜約１５０Ωの間である。また、ＭＩＤＤＬＥチャンネルインピーダンスＲ３は、ＧＮＤ（接地部）に接続されていて、０Ωである。
【００７６】
また、４極オーディオ機器プラグである２入力マイク対応型ヘッドセット（２入力型イヤホンマイク）の場合、ＬＥＦＴチャンネル、ＭＩＤＤＬＥチャンネルはともにマイク機能であり、ＬＥＦＴチャンネルインピーダンスＲ１、ＭＩＤＤＬＥチャンネルインピーダンスＲ３は、ともに、約１ＫΩ以上の無限大（∞）と等価であり、一方、ＲＩＧＨＴチャンネルはスピーカ機能であり、ＲＩＧＨＴチャンネルインピーダンスＲ２は、３００Ω以下であり、約８Ω〜約１５０Ωの間である。
【００７７】
また、２極オーディオ機器プラグであるモノラルスピーカ／イヤホンの場合、ＬＥＦＴチャンネルはスピーカ機能であり、ＬＥＦＴチャンネルインピーダンスＲ１は、３００Ω以下であり、約８Ω〜約１５０Ωの間である。また、ＲＩＧＨＴチャンネルインピーダンスＲ２、ＭＩＤＤＬＥチャンネルインピーダンスＲ３は、ＧＮＤ（接地部）に接続されていて、０Ωである。
【００７８】
（第２の実施形態の動作の説明）
次に、図８に示す携帯端末の動作の一例について説明する。図９ないし図１１のいずれかに示すように、図８の携帯端末のジャックインタフェース１０にオーディオ機器の４極または３極または２極のプラグが接続されると、ジャックインタフェース１０のＬＥＦＴ信号１０２、ＲＩＧＨＴ信号１０３およびＭＩＤＤＬＥ信号１０４として、Ｒ→Ｖ変換回路２０に入力される。
【００７９】
Ｒ→Ｖ変換回路２０は、オーディオ機器の４極または３極または２極のプラグのＬＥＦＴチャンネルインピーダンスＲ１、ＲＩＧＨＴチャンネルインピーダンスＲ２およびＭＩＤＤＬＥチャンネルインピーダンスＲ３を、電圧に変換して、それぞれ、左電圧値Ｖ−ＬＥＦＴ２０１、右電圧値Ｖ−ＲＩＧＨＴ２０２および中電圧値Ｖ−ＭＩＤＤＬＥ２０３として出力する。ここで、図１５に説明したように、左電圧値Ｖ−ＬＥＦＴ２０１、右電圧値Ｖ−ＲＩＧＨＴ２０２および中電圧値Ｖ−ＭＩＤＤＬＥ２０３は、オーディオ機器の種別に応じて、つまり、オーディオ機器プラグの各ピンが有する機能（マイクもしくはスピーカ）のインピーダンス特性に応じて、それぞれに異なる電圧値に変換されている。
【００８０】
Ｒ→Ｖ変換回路２０から出力された左電圧値Ｖ−ＬＥＦＴ２０１、右電圧値Ｖ−ＲＩＧＨＴ２０２および中電圧値Ｖ−ＭＩＤＤＬＥ２０３は、図８に示すように、第１の比較回路３１、第２の比較回路３２および第３の比較回路３３に入力され、さらに、右電圧値Ｖ−ＲＩＧＨＴ２０２、中電圧値Ｖ−ＭＩＤＤＬＥ２０３は、Ａ／Ｄコンバータ３５のｃｈ１、ｃｈ２にそれぞれ入力される。
【００８１】
第１の比較回路３１、第２の比較回路３２および第３の比較回路３３においては、Ｒ→Ｖ変換回路２０からの左電圧値Ｖ−ＬＥＦＴ２０１、右電圧値Ｖ−ＲＩＧＨＴ２０２および中電圧値Ｖ−ＭＩＤＤＬＥ２０３と、ソフトウェア（ＳＷ）制御により設定されているＤ／Ａコンバータ８５からの第１の基準電圧８５１、第２の基準電圧８５２および第３の基準電圧８５３とを、それぞれ、比較し、その結果を、第１の比較結果３１１、第２の比較結果３１２および第３の比較結果３１３として出力する。
【００８２】
第１の比較回路３１、第２の比較回路３２および第３の比較回路３３それぞれから出力された第１の比較結果３１１、第２の比較結果３１２および第３の比較結果３１３は、図８に示すように、入出力セレクタ回路４２の制御部４１およびオーディオＣＯＤＥＣ５０の制御ＩＯ部に入力され、接続されたオーディオ機器に適応した接続状態およびオーディオ信号のＣＯＤＥＣ動作を可能とするとともに、第１の比較結果３１１、第２の比較結果３１２および第３の比較結果３１３を、つまり、入出力セレクタ回路４２の接続状態、オーディオＣＯＤＥＣ５０の動作状態を、専用インタフェース６０１を介してＣＰＵ６０（つまりソフトウェア（ＳＷ））に通知することが可能となる。
【００８３】
また、右電圧値Ｖ−ＲＩＧＨＴ２０２、中電圧値Ｖ−ＭＩＤＤＬＥ２０３が入力されたＡ／Ｄコンバータは、右電圧値Ｖ−ＲＩＧＨＴ２０２、中電圧値Ｖ−ＭＩＤＤＬＥ２０３を、デジタル信号に変換して、バス６０２を介して、ＣＰＵ６０に通知する。ＣＰＵ６０は、デジタル変換された右電圧値Ｖ−ＲＩＧＨＴ２０２、中電圧値Ｖ−ＭＩＤＤＬＥ２０３に基づいて、ジャックインタフェース１０に接続されたオーディオ機器プラグが２極プラグ、３極プラグ、４極プラグのいずれかを判別することが可能である。
【００８４】
つまり、図１５の特性表に示すように、ＭＩＤＤＬＥ信号１０４のインピーダンスが０Ω（ＧＮＤ）（つまり中電圧値Ｖ−ＭＩＤＤＬＥ２０３が０Ｖ）の場合は、４極プラグ以外であることを示しており、かかる場合において、ＲＩＧＨＴ信号１０３のインピーダンスが０Ω（ＧＮＤ）（つまり右電圧値Ｖ−ＲＩＧＨＴ２０２が０Ｖ）の場合は、２極プラグであることを示し、一方、ＲＩＧＨＴ信号１０３のインピーダンスが０Ω（ＧＮＤ）（つまり右電圧値Ｖ−ＲＩＧＨＴ２０２が０Ｖ）ではない場合は、３極プラグであることを示している。また、ＭＩＤＤＬＥ信号１０４のインピーダンスが０Ω（ＧＮＤ）（つまり中電圧値Ｖ−ＭＩＤＤＬＥ２０３が０Ｖ）ではない場合は、４極プラグであることを示している。
【００８５】
また、ジャックインタフェース１０は、オーディオ機器プラグが接続されたことを示すプラグ認識信号１０１を生成して、入出力セレクタ回路４２の制御部４１およびオーディオＣＯＤＥＣ５０の制御ＩＯ部に対して出力して、入出力セレクタ回路４２の制御部４１およびオーディオＣＯＤＥＣ５０の制御ＩＯ部の動作タイミングを制御する。さらに、ジャックインタフェース１０からのプラグ認識信号１０１を受け取ったオーディオＣＯＤＥＣ５０の制御ＩＯ部は、専用インタフェース６０１を介してＣＰＵ６０（つまりソフトウェア（ＳＷ））に通知することが可能である。
【００８６】
ＣＰＵ６０は、オーディオＣＯＤＥＣ５０の制御ＩＯ部からのプラグ認識信号１０１を受信すると、図１６のフローチャートに示すような動作を行う。図１６は、図８の携帯端末におけるＣＰＵ６０の動作の一例を示すフローチャートである。図１６において、オーディオＣＯＤＥＣ５０の制御ＩＯ部からのプラグ認識信号１０１を受信すると（ステップＳ２１のＹｅｓ）、Ａ／Ｄコンバータ３５のｃｈ１、ｃｈ２の電圧検出結果つまり右電圧値Ｖ−ＲＩＧＨＴ２０２、中電圧値Ｖ−ＭＩＤＤＬＥ２０３のデジタル値を、バス６０２を介してＡ／Ｄコンバータ３５より読み取る（ステップＳ２２）。
【００８７】
Ａ／Ｄコンバータ３５より読み取ったｃｈ１、ｃｈ２の電圧検出結果のうち、まず、ｃｈ２の電圧検出結果が０Ｖか否かを判別する（ステップＳ２３）。ｃｈ２の電圧検出結果が０Ｖではなかった場合（ステップＳ２３のＮｏ）、中電圧値Ｖ−ＭＩＤＤＬＥ２０３が０Ｖ以外の場合つまりＭＩＤＤＬＥ信号１０４のインピーダンスが０Ω（ＧＮＤ）以外の場合であり、図１５にて説明したように、ジャックインタフェース１０に接続されたオーディオ機器プラグが４極プラグの場合であることが判明する。
【００８８】
したがって、次に、４極プラグのうち、２入力型イヤホンマイク、ステレオイヤホンマイクのいずれが接続されているかを判別するために、Ｄ／Ａコンバータ８５のｃｈ３の基準電圧を設定して、第３の基準電圧８５３を出力し（ステップＳ２４）、Ｄ／Ａコンバータ８５の第３の基準電圧８５３と中電圧値Ｖ−ＭＩＤＤＬＥ２０３との比較を第３の比較回路３３にて実施し、第３の比較回路３３から出力される第３の比較結果３１３を、専用インタフェース６０１を介して読み取る（ステップＳ２５）。
【００８９】
読み取った第３の比較結果３１３として、中電圧値Ｖ−ＭＩＤＤＬＥ２０３が第３の基準電圧８５３以上である場合（ステップＳ２５の「（Ｖ−ＭＩＤＤＬＥ）≧（基準電圧）」の場合）には、図１５に示すように、２入力型イヤホンマイク（２入力マイク対応ヘッドセット）であるものと判別する（ステップＳ２６）。かかる場合においては、第１の比較結果３１１、第２の比較結果３１２および第３の比較結果３１３が入力される入出力セレクタ回路４２の制御部４１も、自動的に、４極プラグの２入力型イヤホンマイクであることを判別して、図１３に示す入出力セレクタ回路４２のスイッチＳＷ−Ｂ４２２、スイッチＳＷ−Ｃ４２３およびスイッチＳＷ−Ｆ４２６をＯＮに設定する。
【００９０】
一方、読み取った第３の比較結果３１３として、中電圧値Ｖ−ＭＩＤＤＬＥ２０３が第３の基準電圧８５３よりも低い場合（ステップＳ２５の「（Ｖ−ＭＩＤＤＬＥ）＜（基準電圧）」の場合）には、図１５に示すように、ステレオイヤホンマイクであるものと判別する（ステップＳ２７）。かかる場合においては、第１の比較結果３１１、第２の比較結果３１２および第３の比較結果３１３が入力される入出力セレクタ回路４２の制御部４１も、自動的に、４極プラグのステレオイヤホンマイクであることを判別して、図１３に示す入出力セレクタ回路４２のスイッチＳＷ−Ｂ４２２、スイッチＳＷ−Ｃ４２３およびスイッチＳＷ−Ｅ４２５をＯＮに設定する。
【００９１】
また、ｃｈ２の電圧検出結果が０Ｖであった場合（ステップＳ２３のＹｅｓ）、中電圧値Ｖ−ＭＩＤＤＬＥ２０３が０Ｖの場合つまりＭＩＤＤＬＥ信号１０４のインピーダンスが０Ω（ＧＮＤ）の場合であり、図１５にて説明したように、ジャックインタフェース１０に接続されたオーディオ機器プラグが３極プラグまたは２極プラグの場合であることが判明する。
【００９２】
したがって、次に、３極プラグか、２極プラグかを判別するために、ｃｈ１の電圧検出結果が０Ｖであるか否かを判別する（ステップＳ２８）。ｃｈ１の電圧検出結果が０Ｖであった場合（ステップＳ２８のＹｅｓ）、右電圧値Ｖ−ＲＩＧＨＴ２０２が０Ｖの場合つまりＲＩＧＨＴ信号１０３のインピーダンスが０Ω（ＧＮＤ）の場合であり、図１５にて説明したように、ジャックインタフェース１０に接続されたオーディオ機器プラグが２極プラグの場合であり、モノラルスピーカ／イヤホンであるものと判別する（ステップＳ２９）。かかる場合においては、第１の比較結果３１１、第２の比較結果３１２および第３の比較結果３１３が入力される入出力セレクタ回路４２の制御部４１も、自動的に、２極プラグのモノラルスピーカ／イヤホンであることを判別して、図１３に示す入出力セレクタ回路４２のスイッチＳＷ−Ａ４２１のみをＯＮに設定する。
【００９３】
一方、ｃｈ１の電圧検出結果が０Ｖではなかった場合（ステップＳ２８のＮｏ）、中電圧値Ｖ−ＭＩＤＤＬＥ２０３が０Ｖの場合つまりＭＩＤＤＬＥ信号１０４のインピーダンスが０Ω（ＧＮＤ）の場合であって、かつ、右電圧値Ｖ−ＲＩＧＨＴ２０２が０Ｖ以外の場合つまりＲＩＧＨＴ信号１０３のインピーダンスが０Ω（ＧＮＤ）以外の場合であり、図１５にて説明したように、ジャックインタフェース１０に接続されたオーディオ機器プラグが３極プラグの場合であることが判明する。
【００９４】
したがって、次に、３極プラグのうち、ヘッドホン、イヤホンマイク、ステレオマイクのいずれが接続されているかを判別するために、Ｄ／Ａコンバータ８５のｃｈ１およびｃｈ２の基準電圧を設定して、第１の基準電圧８５１および第２の基準電圧８５２を出力し（ステップＳ３０）、Ｄ／Ａコンバータ８５の第１の基準電圧８５１と左電圧値Ｖ−ＬＥＦＴ２０１との比較およびＤ／Ａコンバータ８５の第２の基準電圧８５２と右電圧値Ｖ−ＲＩＧＨＴ２０２との比較を、第１の比較回路３１および第２の比較回路３２それぞれにて実施し、第１の比較回路３１および第２の比較回路３２からそれぞれ出力される第１の比較結果３１１および第２の比較結果３１２を、専用インタフェース６０１を介して読み取る（ステップＳ３１）。
【００９５】
次いで、読み取った第１の比較結果３１１として、左電圧値Ｖ−ＬＥＦＴ２０１が第１の基準電圧８５１以上である場合（ステップＳ３１の「（Ｖ−ＬＥＦＴ）≧（基準電圧）」の場合）には、読み取った第１の比較結果３１１を「Ｈｉｇｈ」に設定し（ステップＳ３２）、一方、読み取った第１の比較結果３１１として、左電圧値Ｖ−ＬＥＦＴ２０１が第１の基準電圧８５１よりも低い場合（ステップＳ３１の「（Ｖ−ＬＥＦＴ）＜（基準電圧）」の場合）には、読み取った第１の比較結果３１１を「Ｌｏｗ」に設定する（ステップＳ３３）。
【００９６】
同様に、読み取った第２の比較結果３１２として、右電圧値Ｖ−ＲＩＧＨＴ２０２が第２の基準電圧８５２以上である場合（ステップＳ３１の「（Ｖ−ＲＩＧＨＴ）≧（基準電圧）」の場合）には、読み取った第２の比較結果３１２を「Ｈｉｇｈ」に設定し（ステップＳ３２）、一方、読み取った第２の比較結果３１２として、右電圧値Ｖ−ＲＩＧＨＴ２０２が第２の基準電圧８５２よりも低い場合（ステップＳ３１の「（Ｖ−ＲＩＧＨＴ）＜（基準電圧）」の場合）には、読み取った第２の比較結果３１２を「Ｌｏｗ」に設定する（ステップＳ３３）。
【００９７】
しかる後、第１の比較結果３１１、第２の比較結果３１２の「Ｌｏｗ」、「Ｈｉｇｈ」の設定結果を組み合わせることにより、ヘッドホン、イヤホンマイク、ステレオマイクのいずれが接続されているかを判別する（ステップＳ３４）。第１の比較結果３１１および第２の比較結果３１２の双方が「Ｌｏｗ」であった場合（ステップＳ３４の「第１＝［Ｌｏｗ］、第２＝［Ｌｏｗ］」の場合）には、図１５に示すように、ヘッドホン（ステレオヘッドホン）であるものと判別する（ステップＳ３５）。かかる場合においては、第１の比較結果３１１、第２の比較結果３１２および第３の比較結果３１３が入力される入出力セレクタ回路４２の制御部４１も、自動的に、３極プラグのヘッドホンであることを判別して、図１３に示す入出力セレクタ回路４２のスイッチＳＷ−Ａ４２１およびスイッチＳＷ−Ｃ４２３をＯＮに設定する。
【００９８】
また、第１の比較結果３１１が「Ｈｉｇｈ」であり、第２の比較結果３１２が「Ｌｏｗ」であった場合（ステップＳ３４の「第１＝［Ｈｉｇｈ］、第２＝［Ｌｏｗ］」の場合）には、図１５に示すように、イヤホンマイクであるものと判別する（ステップＳ３６）。かかる場合においては、第１の比較結果３１１、第２の比較結果３１２および第３の比較結果３１３が入力される入出力セレクタ回路４２の制御部４１も、自動的に、３極プラグのイヤホンマイクであることを判別して、図１３に示す入出力セレクタ回路４２のスイッチＳＷ−Ｂ４２２およびスイッチＳＷ−Ｃ４２３をＯＮに設定する。
【００９９】
また、第１の比較結果３１１および第２の比較結果３１２の双方が「Ｈｉｇｈ」であった場合（ステップＳ３４の「第１＝［Ｈｉｇｈ］、第２＝［Ｈｉｇｈ］」の場合）には、図１５に示すように、ステレオマイクであるものと判別する（ステップＳ３７）。かかる場合においては、第１の比較結果３１１、第２の比較結果３１２および第３の比較結果３１３が入力される入出力セレクタ回路４２の制御部４１も、自動的に、３極プラグのイヤホンマイクであることを判別して、図１３に示す入出力セレクタ回路４２のスイッチＳＷ−Ｂ４２２およびスイッチＳＷ−Ｄ４２４をＯＮに設定する。
【０１００】
かくのごときオーディオジャックの自動認識機能により、オーディオジャックの状態つまりジャックインタフェース１０に接続されたオーディオ機器プラグの種別を自動的に検出することにより、接続されたオーディオ機器の判別を行い、かつ、入出力セレクタ回路４２を適切な接続状態に切り替えた後は、オーディオＣＯＤＥＣ５０の動作状態を、ソフトウェア（ＳＷ）的に可変に制御可能な設定値（出力ボリューム、入力ゲイン）として適切な値に設定して動作を開始させることができる。
【０１０１】
（第２の実施形態の効果の説明）
以上のように、本第２の実施形態によれば、ハードウェア（ＨＷ）的な比較手段を用いる場合であっても、第１の実施形態の場合と同様、一つのジャックインタフェース１０のみで、モノラルスピーカ／イヤホン（２極ジャック）、ステレオヘッドホン（３極ジャック）、イヤホンマイク（３極ジャック）、ステレオマイク（３極ジャック）、２入力マイク対応型ヘッドセット（４極ジャック）、ステレオイヤホンマイク（４極ジャック）といった複数種のオーディオ機器、２極プラグ、３極プラグおよび４極プラグに適応することが可能となり、小型化された携帯端末であっても、その物理的なサイズを損ねることなく、オーディオ機能を十分に提供することが可能となる。
【０１０２】
また、オーディオ機器を接続した後の種別判定と各オーディオ機器に適する設定はソフトウェア制御により自動的に行なわれるため、利用者がわざわざ切り替えの操作を行なう必要がなく、さらに、適用するジャックインタフェースの誤挿入防止にも役立ち、故障率の低減にも役立つという効果も得られる。
【０１０３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、前述の実施形態においては、ジャックインタフェース１０に接続して自動判別されるオーディオ機器の種別として、モノラルスピーカ／イヤホン（２極ジャック）、ステレオヘッドホン（３極ジャック）、イヤホンマイク（３極ジャック）、ステレオマイク（３極ジャック）、２入力マイク対応型ヘッドセット（４極ジャック）あるいはステレオイヤホンマイク（４極ジャック）の場合について説明したが、これらのオーディオ機器は、代表的なオーディオ機器であり、本発明は、かかる場合のみに限るものではなく、マイク機能および／またはスピーカ機能を保有するオーディオ機器であれば、如何なるオーディオ機器であっても、適用することが可能であり、また、既存のデバイスのみでなく、将来のデバイスについても、ソフトウェア的な変更処理あるいは軽微な改造のみで適応することが可能である。
また、本発明の実施態様は、課題を解決するための手段における構成（１）に加えて、次のような構成として表現できる。
（２）前記オーディオＣＯＤＥＣと前記ジャックインタフェースとの接続状態およびオーディオ信号の入出力レベルを切り替える動作をソフトウェア制御により行う上記（１）の携帯端末。
（３）前記オーディオ機器判別手段は、前記ジャックインタフェースに接続された前記オーディオ機器のＬＥＦＴチャンネル、ＲＩＧＨＴチャンネル、ＭＩＤＤＬＥチャンネルそれぞれのインピーダンスを電圧値に変換する変換手段と、該変換手段により変換されたＬＥＦＴチャンネル、ＲＩＧＨＴチャンネル、ＭＩＤＤＬＥチャンネルそれぞれの電圧値を、あらかじめ設定した電圧閾値と比較した結果を出力するＡ／Ｄコンバータと、を少なくとも備え、前記Ａ／Ｄコンバータから出力されるＬＥＦＴチャンネル、ＲＩＧＨＴチャンネル、ＭＩＤＤＬＥチャンネルそれぞれの前記電圧閾値との比較結果の組み合わせに基づいて、接続された前記オーディオ機器の種別を判別する上記（１）または（２）の携帯端末。
（４）前記オーディオ機器判別手段は、前記ジャックインタフェースに接続された前記オーディオ機器のＬＥＦＴチャンネル、ＲＩＧＨＴチャンネル、ＭＩＤＤＬＥチャンネルそれぞれのインピーダンスを電圧値に変換する変換手段と、該変換手段により変換されたＬＥＦＴチャンネル、ＲＩＧＨＴチャンネル、ＭＩＤＤＬＥチャンネルそれぞれの電圧値を、デジタル値に変換するＡ／Ｄコンバータと、前記Ａ／Ｄコンバータにてデジタル値に変換したＬＥＦＴチャンネル、ＲＩＧＨＴチャンネル、ＭＩＤＤＬＥチャンネルそれぞれの電圧値を、あらかじめ設定した電圧閾値と比較する比較手段と、を少なくとも備え、前記比較手段から出力されるＬＥＦＴチャンネル、ＲＩＧＨＴチャンネル、ＭＩＤＤＬＥチャンネルそれぞれの前記電圧閾値との比較結果の組み合わせに基づいて、接続された前記オーディオ機器の種別を判別する上記（１）または（２）の携帯端末。
（５）前記オーディオ機器判別手段は、前記ジャックインタフェースに接続された前記オーディオ機器のＬＥＦＴチャンネル、ＲＩＧＨＴチャンネル、ＭＩＤＤＬＥチャンネルそれぞれのインピーダンスを電圧値に変換する変換手段と、あらかじめ設定した電圧閾値を生成するＤ／Ａコンバータと、前記変換手段により変換されたＬＥＦＴチャンネル、ＲＩＧＨＴチャンネル、ＭＩＤＤＬＥチャンネルそれぞれの電圧値を、前記Ｄ／Ａコンバータにてあらかじめ生成した電圧閾値と比較する比較回路と、を少なくとも備え、前記比較回路から出力されるＬＥＦＴチャンネル、ＲＩＧＨＴチャンネル、ＭＩＤＤＬＥチャンネルそれぞれの前記電圧閾値との比較結果の組み合わせに基づいて、接続された前記オーディオ機器の種別を判別する上記（１）または（２）の携帯端末。
（６）前記比較回路から出力されるＬＥＦＴチャンネル、ＲＩＧＨＴチャンネル、ＭＩＤＤＬＥチャンネルそれぞれの前記電圧閾値との比較結果により、前記オーディオＣＯＤＥＣの動作状態および前記オーディオＣＯＤＥＣと前記ジャックインタフェースとの接続状態を切り替える上記（５）の携帯端末。
（７）ＲＩＧＨＴチャンネル、ＭＩＤＤＬＥチャンネルの電圧値の双方と０Ｖとの比較結果に基づいて、前記ジャックインタフェースに接続されたオーディオ機器プラグが、少なくとも２極プラグ、３極プラグ、４極プラグのいずれであるかを判別する上記（３）ないし（６）のいずれかの携帯端末。
（８）ＬＥＦＴチャンネル、ＲＩＧＨＴチャンネル、ＭＩＤＤＬＥチャンネルそれぞれの電圧値と比較する前記電圧閾値は、ソフトウェア制御により、任意の値に設定変更を行うことができる上記（３）ないし（７）のいずれかの携帯端末。
（９）前記オーディオ機器判別手段は、ＬＥＦＴチャンネル、ＭＩＤＤＬＥチャンネルの双方の電圧値が前記電圧閾値以上に高く、かつ、ＲＩＧＨＴチャンネルの電圧値が前記電圧閾値よりも低い場合、接続された前記オーディオ機器が、４極プラグタイプの２入力マイク対応型ヘッドセットであるものと判別する上記（３）ないし（８）のいずれかの携帯端末。
（１０）前記オーディオ機器判別手段は、ＭＩＤＤＬＥチャンネルの電圧値が０Ｖではなく、かつ、ＭＩＤＤＬＥチャンネル、ＲＩＧＨＴチャンネルの双方の電圧値が前記電圧閾値よりも低く、かつ、ＬＥＦＴチャンネルの電圧値が前記電圧閾値以上に高い場合、接続された前記オーディオ機器が、４極プラグタイプのステレオイヤホンマイクであるものと判別する上記（３）ないし（９）のいずれかの携帯端末。
（１１）前記オーディオ機器判別手段は、ＭＩＤＤＬＥチャンネルの電圧値が０Ｖであり、かつ、ＲＩＧＨＴチャンネルの電圧値が前記電圧閾値よりも低く、かつ、ＬＥＦＴチャンネルの電圧値が前記電圧閾値以上に高い場合、接続された前記オーディオ機器が、３極プラグタイプのイヤホンマイクであるものと判別する上記（３）ないし（１０）のいずれかの携帯端末。
（１２）前記オーディオ機器判別手段は、ＭＩＤＤＬＥチャンネルの電圧値が０Ｖであり、かつ、ＬＥＦＴチャンネル、ＲＩＧＨＴチャンネルのいずれの電圧値も前記電圧閾値よりも低い場合、接続された前記オーディオ機器が、３極プラグタイプのヘッドホンであるものと判別する上記（３）ないし（１１）のいずれかの携帯端末。
（１３）前記オーディオ機器判別手段は、ＭＩＤＤＬＥチャンネルの電圧値が０Ｖであり、かつ、ＬＥＦＴチャンネル、ＲＩＧＨＴチャンネルの双方の電圧値が前記電圧閾値以上に高い場合、接続された前記オーディオ機器が、３極プラグタイプのステレオマイクであるものと判別する上記（３）ないし（１２）のいずれかの携帯端末。
（１４）前記オーディオ機器判別手段は、ＭＩＤＤＬＥチャンネル、ＲＩＧＨＴチャンネルの双方の電圧値が０Ｖの場合、接続された前記オーディオ機器が、２極プラグタイプのモノラルイヤホンであるものと判別する上記（３）ないし（１３）のいずれかの携帯端末。
（１５）前記ジャックインタフェースに前記オーディオ機器のプラグが接続されたことを認識するプラグ認識手段を備え、前記プラグ認識手段により、前記ジャックインタフェースに前記オーディオ機器のプラグが接続されたことを認識した場合に、接続された前記オーディオ機器の種別を判別する前記オーディオ機器判別手段の動作を起動する上記（１）ないし（１４）のいずれかの携帯端末。
（１６）複数種類のオーディオ機器を接続することが可能な一つの４極のジャックインタフェースを備え、前記ジャックインタフェースに接続された前記オーディオ機器のＬＥＦＴチャンネル、ＲＩＧＨＴチャンネル、ＭＩＤＤＬＥチャンネルそれぞれのインピーダンスの大きさを識別することにより、接続された前記オーディオ機器の種別を判別する携帯端末におけるオーディオ機器判別方法であって、判別した前記オーディオ機器の種別に基づいて、オーディオ信号の変換を行うオーディオＣＯＤＥＣと前記ジャックインタフェースとの接続状態およびオーディオ信号の入出力レベルを少なくとも切り替えるオーディオ機器判別方法。
（１７）前記オーディオＣＯＤＥＣと前記ジャックインタフェースとの接続状態およびオーディオ信号の入出力レベルを切り替える動作をソフトウェア制御により行う上記（１６）のオーディオ機器判別方法。
（１８）前記ジャックインタフェースに接続された前記オーディオ機器のＬＥＦＴチャンネル、ＲＩＧＨＴチャンネル、ＭＩＤＤＬＥチャンネルそれぞれのインピーダンスを電圧値に変換する変換ステップと、該変換ステップにより変換されたＬＥＦＴチャンネル、ＲＩＧＨＴチャンネル、ＭＩＤＤＬＥチャンネルそれぞれの電圧値を、あらかじめ設定した電圧閾値と比較した結果を出力する比較ステップと、を少なくとも有し、前記比較ステップにより求めたＬＥＦＴチャンネル、ＲＩＧＨＴチャンネル、ＭＩＤＤＬＥチャンネルそれぞれの前記電圧閾値との比較結果の組み合わせに基づいて、接続された前記オーディオ機器の種別を判別する上記（１６）または（１７）のオーディオ機器判別方法。
（１９）ＬＥＦＴチャンネル、ＲＩＧＨＴチャンネル、ＭＩＤＤＬＥチャンネルそれぞれの電圧値と比較する前記電圧閾値は、ソフトウェア制御により、任意の値に設定変更を行うことができる上記（１８）のオーディオ機器判別方法。
（２０）ＲＩＧＨＴチャンネル、ＭＩＤＤＬＥチャンネルの電圧値の双方と０Ｖとの比較結果に基づいて、前記ジャックインタフェースに接続されたオーディオ機器プラグが、少なくとも２極プラグ、３極プラグ、４極プラグのいずれであるかを判別する上記（１８）または（１９）のオーディオ機器判別方法。
（２１）ＬＥＦＴチャンネル、ＲＩＧＨＴチャンネル、ＭＩＤＤＬＥチャンネルそれぞれの電圧値と比較する前記電圧閾値は、ソフトウェア制御により、任意の値に設定変更を行うことができる上記（１８）ないし（２０）のいずれかのオーディオ機器判別方法。
（２２）上記（１６）ないし（２１）のいずれかのオーディオ機器判別方法の少なくとも一部を、コンピュータにより実行可能なプログラムとして実施するオーディオ機器判別プログラム。
（２３）上記（２２）のオーディオ機器判別プログラムを、コンピュータにより読み取り可能な記録媒体に記録しているプログラム記録媒体。
【図面の簡単な説明】
【０１０４】
【図１】本発明による携帯端末の第１の実施形態におけるブロック構成の一例を示すブロック構成図である。
【図２】図１の携帯端末に４極オーディオ機器プラグを接続した状態を説明する説明図である。
【図３】図１の携帯端末に３極オーディオ機器プラグを接続した状態を説明する説明図である。
【図４】図１の携帯端末に接続されるオーディオ機器プラグの各チャンネルのインピーダンスの大きさを示す説明図である。
【図５】図１の携帯端末におけるＡ／Ｄコンバータ、ＣＰＵの動作の一例を示すフローチャートである。
【図６】図１の携帯端末におけるオーディオ信号の入出力セレクタ回路と該入出力セレクタ回路を制御する制御部を説明する説明図である。
【図７】図１の携帯端末においてジャックインタフェースにオーディオ機器が接続されたことをＣＰＵに通知する経路の一例を説明する説明図である。
【図８】本発明による携帯端末の第２の実施形態におけるブロック構成の一例を示すブロック構成図である。
【図９】図８の携帯端末に４極オーディオ機器プラグを接続した状態を説明する説明図である。
【図１０】図８の携帯端末に３極オーディオ機器プラグを接続した状態を説明する説明図である
【図１１】図８の携帯端末に２極オーディオ機器プラグを接続した状態を説明する説明図である。
【図１２】図８の携帯端末におけるＬＥＦＴ信号、ＲＩＧＨＴ信号およびＭＩＤＤＬＥ信号の電圧値とそれぞれの電圧閾値と比較する比較回路の構成の一例を示す構成図である。
【図１３】図８の携帯端末におけるオーディオ信号の入出力セレクタ回路と該入出力セレクタ回路を制御する制御部を説明する説明図である。
【図１４】図８の携帯端末においてジャックインタフェースにオーディオ機器が接続されたことをＣＰＵに通知する経路の一例を説明する説明図である。
【図１５】図８の携帯端末に接続されるオーディオ機器プラグの各チャンネルのインピーダンスの大きさを示す説明図である。
【図１６】図８の携帯端末におけるＣＰＵの動作の一例を示すフローチャートである。
【符号の説明】
【０１０５】
１０              ジャックインタフェース
２０              Ｒ→Ｖ変換回路
３０              Ａ／Ｄコンバータ
３１              第１の比較回路
３２              第２の比較回路
３３              第３の比較回路
３５              Ａ／Ｄコンバータ
４１              入出力セレク回路の制御部
４２              入出力セレクタ回路
５０              オーディオＣＯＤＥＣ
６０              ＣＰＵ
７０              メモリ
８０              ４極オーディオ機器プラグ
８５              Ｄ／Ａコンバータ
９０              ３極オーディオ機器プラグ
９５              ２極オーディオ機器プラグ
１０１            プラグ認識信号
１０２            ＬＥＦＴ信号
１０３            ＲＩＧＨＴ信号
１０４            ＭＩＤＤＬＥ信号
２０１            左電圧値Ｖ−ＬＥＦＴ
２０２            右電圧値Ｖ−ＲＩＧＨＴ
２０３            中電圧値Ｖ−ＭＩＤＤＬＥ
３１１            第１の比較結果
３１２            第２の比較結果
３１３            第３の比較結果
４２１            スイッチＳＷ−Ａ
４２２            スイッチＳＷ−Ｂ
４２３            スイッチＳＷ−Ｃ
４２４            スイッチＳＷ−Ｄ
４２５            スイッチＳＷ−Ｅ
４２６            スイッチＳＷ−Ｆ
５０１，５０２，５０３  出力制御信号
６０１            専用インタフェース
６０２            バス
８５１            第１の基準電圧
８５２            第２の基準電圧
８５３            第３の基準電圧
【図１】
0005158593.tif 000002
【図２】
0005158593.tif 000003
【図３】
0005158593.tif 000004
【図４】
0005158593.tif 000005
【図５】
0005158593.tif 000006
【図６】
0005158593.tif 000007
【図７】
0005158593.tif 000008
【図８】
0005158593.tif 000009
【図９】
0005158593.tif 000010
【図１０】
0005158593.tif 000011
【図１１】
0005158593.tif 000012
【図１２】
0005158593.tif 000013
【図１３】
0005158593.tif 000014
【図１４】
0005158593.tif 000015
【図１５】
0005158593.tif 000016
【図１６】
0005158593.tif 000017